(57)【要約】【課題】使用者に光や色の専門的な知識がなくても、照明を好みの色調に自由にかつ容易に調整することが可能であり、また、調整結果を視認することが可能な照明器具用リモートコントロール装置を提供する。【解決手段】ＬＥＤ照明器具用リモートコントロール装置１００は、異なる波長で発光する複数のＬＥＤを有する照明器具の調光操作を行うためのリモートコントロール装置であって、複数の発光ダイオードの出力を調整して照明器具の調光を行うための出力調整コントロールボタン１３０ａと、出力調整コントロールボタン１３０ａを通して調光することによって得られる照明の色調を使用者が視認するための表示部１２０とを備える。【選択図】図１
2008108598.tif 000002
【特許請求の範囲】
【請求項１】
異なる波長で発光する複数の発光ダイオード（ＬＥＤ）を有する照明器具の調光操作を行うためのリモートコントロール装置であって、
前記複数の発光ダイオードの出力を調整して前記照明器具の調光を行うための出力調整手段と、
前記出力調整手段を通して調光することによって得られる照明の色調を使用者が視認するための表示手段とを備える、ＬＥＤ照明器具用リモートコントロール装置。
【請求項２】
前記表示手段は、前記照明器具の発光ダイオードと同じ波長で発光する表示用発光ダイオードを有する、請求項１に記載のＬＥＤ照明器具用リモートコントロール装置。
【請求項３】
前記表示手段は、前記出力調整手段を通して調光することによって得ることができる照明の複数の色調を予め画像として表示し、前記画像上に、前記出力調整手段を通して調光された照明の特定の色調をポインタで示す、請求項１または請求項２に記載のＬＥＤ照明器具用リモートコントロール装置。
【請求項４】
前記表示手段は画面を有し、前記出力調整手段は、前記画面の上に配置されたタッチパネルを含む、請求項３に記載のＬＥＤ照明器具用リモートコントロール装置。
【請求項５】
前記出力調整手段によって調整された、前記発光ダイオードの出力に関する情報を前記照明装置に送信するための送信手段をさらに備える、請求項１から請求項４までのいずれか１項に記載のＬＥＤ照明器具用リモートコントロール装置。
【請求項６】
前記出力調整手段によって調光された照明の色調を記憶するための記憶手段と、前記出力調整手段によって調光された照明の色調を前記記憶手段に記憶させるための記憶指示手段とを備える、請求項１から請求項５までのいずれか１項に記載のＬＥＤ照明器具用リモートコントロール装置。
【発明の詳細な説明】
【技術分野】
【０００１】
本発明はＬＥＤ照明器具装置を操作するリモートコントロール装置に関する。
【背景技術】
【０００２】
従来の照明装置は、白熱電球や蛍光灯を使用したものが一般的であり、リモートコントロールで操作可能な内容としては、点灯、消灯、出力調整による調光、常夜灯（豆球）の点灯、などがあった。近年、発光ダイオード（ＬＥＤ）の進化がめざましく、高輝度・高出力でさまざまな波長出力を持つＬＥＤが実用化されてきている。このようなＬＥＤを用いた照明装置においては、点灯や消灯などの操作だけでなく、波長の違うＬＥＤを組み合わせて各々の出力を調整することにより、使用者は照明の色調も自由に変更することが可能である。しかし、ＬＥＤの出力を調整して好みの色調にすることは、光や色の知識のない者には難しい。そこで、誰にでも調光しやすいような工夫が提案されている。
【０００３】
例えば、特開２００２−３１９４９７号公報（特許文献１）に記載の色変わり照明装置においては、使用者は、ジョイスティックを操作することによって任意に照明色を選ぶことができる。
【０００４】
また、特開２００１−１８５３７１号公報（特許文献２）に記載の調光式ＬＥＤ照明装置においては、照明色の調整用ツマミを操作することで、照明光の色調を決められた一次曲線上の色に変えることができる。
【０００５】
一方、特開２００４−１１１２０４号公報（特許文献３）に記載の照明用リモコン送信器には、照明器具装置の点灯状況を明確に識別することができるように、リモコン上に液晶画面が設けられている。
【０００６】
また、特開２０００−１２３９８１号公報（特許文献４）に記載の調色照明装置は、輝度等の設定が異なる複数の光源によって得られる複合色を数値や棒グラフで参照的に表示する。
【特許文献１】特開２００２−３１９４９７号公報
【特許文献２】特開２００１−１８５３７１号公報
【特許文献３】特開２００４−１１１２０４号公報
【特許文献４】特開２０００−１２３９８１号公報
【発明の開示】
【発明が解決しようとする課題】
【０００７】
しかしながら、特開２００２−３１９４９７号公報（特許文献１）に記載の照明装置と特開２００１−１８５３７１号公報（特許文献２）に記載の照明装置では、使用者が、ＬＥＤの出力を調整することによって得られる色調を確認するときは、直接、照明の色を見なければならない。また、特開２００１−１８５３７１号公報（特許文献２）に記載の照明装置では、予め定義された一次曲線上の色しか選択できないので、本来の使用者の好みの色を調整することはできない。
【０００８】
また、特開２００４−１１１２０４号公報（特許文献３）に記載の照明用リモコン送信器には液晶画面が設けられており、この画面では照明器具装置の点灯状況を確認することができるが、照明の色調を確認することはできない。
【０００９】
一方、特開２０００−１２３９８１号公報（特許文献４）に記載の調色照明装置においては、使用者が調整した複合色を参照的に表示する参照表示部を備えるが、この参照表示部は、各色の設定輝度のレベルを参照し得るように図形や数値、棒グラフを表示するものであり、使用者が直接、色調を視認することができるものではない。
【００１０】
そこで、この発明の目的は、使用者に光や色の専門的な知識がなくても、照明を好みの色調に自由にかつ容易に調整することが可能であり、また、調整結果を視認することが可能な照明器具用リモートコントロール装置を提供することである。
【課題を解決するための手段】
【００１１】
この発明に従ったＬＥＤ（発光ダイオード）照明器具用リモートコントロール装置は、異なる波長で発光する複数の発光ダイオード（ＬＥＤ）を有する照明器具の調光操作を行うためのリモートコントロール装置であって、複数の発光ダイオードの出力を調整して照明器具の調光を行うための出力調整手段と、出力調整手段を通して調光することによって得られる照明の色調を使用者が視認するための表示手段とを備える。
【００１２】
このようにすることにより、出力調整手段によって調整した色調が表示手段に表示されるため、色調を調整した結果を容易に確認することができる。また、発光ダイオードの出力を微妙に変化させて得られる色調の微妙な変化についても確認しやすくなる。
【００１３】
この発明に従ったＬＥＤ照明器具用リモートコントロール装置においては、表示手段は、照明器具の発光ダイオードと同じ波長で発光する表示用発光ダイオードを有することが好ましい。
【００１４】
このように、単なる色見本ではなく、照明器具の発光ダイオードと同じ発光ダイオードを使用して得られる照明色を手元のリモートコントロール装置上で確認することにより、実際に点灯させたい色調を正確に調節することが可能となる。
【００１５】
この発明に従ったＬＥＤ照明器具用リモートコントロール装置においては、表示手段は、出力調整手段を通して調光することによって得ることができる照明の複数の色調を予め画像として表示し、画像上に、出力調整手段を通して調光された照明の特定の色調をポインタで示すことが好ましい。
【００１６】
このようにすることにより、使用者は実現可能な色をひと目で理解することができ、好みの色を選択して照明色を調整することがより簡単になる。また、調整した色調が画像上の色分布のどのあたりになるかをポインタの位置から確認することが可能となるため、異なる色の発光ダイオードの出力を、それぞれどのように変更すればよいかを理解しやすくなる。
【００１７】
この発明に従ったＬＥＤ照明器具用リモートコントロール装置においては、表示手段は画面を有し、出力調整手段は、画面の上に配置されたタッチパネルを含むことが好ましい。
【００１８】
このようにすることにより、使用者は、画面上のタッチパネルに触れることによって好みの色調部分を直接選択することが可能となるため、より簡単に素早く色調を調整することができる。
【００１９】
この発明に従ったＬＥＤ照明器具用リモートコントロール装置は、出力調整手段によって調整された、発光ダイオードの出力に関する情報を照明装置に送信するための送信手段をさらに備えることが好ましい。
【００２０】
リモートコントロール装置上で色調を調整するときには、照明器具に色調変更の信号を随時、出力調整手段によって送信してもよい。しかし、色調途中のデータを送信し室内の照明を随時変更する必要はない。そこで、例えば、出力調整手段によるリモートコントロール装置上での色調調整が終了した時点で初めて、照明器具へ色調データを出力調整手段とは別に備えられた送信手段によって送信することにより、室内照明の不要な変化を防ぐことが可能となる。
【００２１】
この発明に従ったＬＥＤ照明器具用リモートコントロール装置は、出力調整手段によって調光された照明の色調を記憶するための記憶手段と、出力調整手段によって調光された照明の色調を記憶手段に記憶させるための記憶指示手段とを備えることが好ましい。
【００２２】
このようにすることにより、例えば、複数の使用者が、記憶指示手段と記憶手段とを用いて、出力調整手段によって調整されたそれぞれの好みの色調を記憶させておくことができる。また、例えば、照明する時刻によって異なる色調の照明にするために、複数の色調を記憶させておくことができる。このように、一旦調整して記憶させた色調と同じ色調を改めて調整することなく、複数の色調を容易に切り替えることが可能となる。
【発明の効果】
【００２３】
以上のように、この発明によれば、使用者に光や色の専門的な知識がなくても、照明を好みの色調に自由にかつ容易に調整することが可能であり、また、調整結果を視認することが可能な照明器具用リモートコントロール装置を提供することができる。
【発明を実施するための最良の形態】
【００２４】
以下、この発明の実施の形態を図面に基づいて説明する。
【００２５】
図１は、この発明の第１の実施の形態として、ＬＥＤ照明器具用リモートコントロール装置の正面を示す図である。
【００２６】
図１に示すように、ＬＥＤ照明器具用リモートコントロール装置１００は、本体１０１上に、表示手段として表示部１２０と、操作部１３０と、制御データ送信部１４０を備える。操作部１３０は、ＬＥＤ照明器具の点灯、消灯などを行うための操作ボタンと、出力調整手段として出力調整コントロールボタン１３０ａを含む。出力調整コントロールボタン１３０ａは、Ｒボタン１３１、Ｇボタン１３２、Ｂボタン１３３から構成されている。表示部１２０は、表示部カバーで覆われており、使用者は表示部カバーを通して表示部１２０に出力される表示を視認することができる。制御データ送信部１４０は、操作部１３０の操作内容にもとづいて照明器具へ制御データを送信する。
【００２７】
本発明において、波長の異なる複数のＬＥＤとして、例えば赤ＬＥＤ、緑ＬＥＤ、青ＬＥＤの３種類のＬＥＤを用いた照明器具を操作する場合、３つのＬＥＤそれぞれの出力を調整するためには、３つの出力調整手段が必要となる。ＬＥＤ照明器具用リモートコントロール装置１００においては、赤ＬＥＤの出力を調整するためのＲボタン１３１、緑ＬＥＤの出力を調整するためのＧボタン１３２、青ＬＥＤの出力を調整するためのＢボタン１３３の３つのボタンが配置されている。Ｒボタン１３１とＧボタン１３２とＢボタン１３３のそれぞれの上部と下部は押下可能であり、例えばＲボタン１３１の上ボタン（図１の△）を押すと、照明器具の赤ＬＥＤの出力が上がり、照明色の赤味が増す。逆に、Ｒボタン１３１の下ボタン（図１の▽）を押すと、照明器具の赤ＬＥＤの出力が下がり、照明色の赤味が減る。
【００２８】
このように、照明器具のＬＥＤとして、赤、緑、青の３色のＬＥＤを用いることによって、各色のＬＥＤ単体の色味に加えて混合色を得ることができる。また、３色のＬＥＤの出力を揃えることによって、白色を得ることができる。出力調整手段としては、押しボタンのほか、ツマミをまわす形状のものであってもかまわない。
【００２９】
図２は、表示部を覆う表示部カバーを外したときのＬＥＤ照明器具用リモートコントロール装置の正面を示す図である。
【００３０】
図２に示すように、ＬＥＤ照明器具用リモートコントロール装置１００の表示部１２０内部には、照明器具装置で使用しているＬＥＤと同じ波長で発光する表示用発光ダイオードがＬＥＤ配置部１２０ａに実装されている。
【００３１】
例えば、照明器具装置のＬＥＤとして赤ＬＥＤ、緑ＬＥＤ、青ＬＥＤの３種類のＬＥＤを使用する場合、ＬＥＤ配置部１２０ａには表示用発光ダイオードとして、表示用赤ＬＥＤ１２１、表示用緑ＬＥＤ１２２、表示用青ＬＥＤ１２３の３種類が実装される。
【００３２】
出力調整用コントロールボタン１３０ａを操作すると、その出力調整用コントロールボタン１３０ａに対応するＬＥＤ配置部１２０ａに配置されている表示用ＬＥＤの出力が、照明器具装置に配置されているＬＥＤの出力と同じ比率で変更される。このようにして、実際に照明器具装置で点灯する色調と同じ色調の照明色をＬＥＤ照明器具用リモートコントロール装置の表示部１２０に表示することができる。
【００３３】
ＬＥＤ照明器具用リモートコントロール装置１００においては、本体１０１上のＲボタン１３１を操作することにより、ＬＥＤ配置部１２０ａの表示用赤ＬＥＤ１２１の出力が変更され、Ｇボタン１３２を操作することにより表示用緑ＬＥＤ１２２の出力が変更され、Ｂボタン１３３を操作することにより表示用青ＬＥＤ１２３の出力が変更される。
【００３４】
ＬＥＤ配置部１２０ａに実装する表示用ＬＥＤは、図２に示すように一色につき一つずつでなくとも、照明器具装置の照明色を実現するために必要であるならば一色につき複数個実装してもかまわない。
【００３５】
このように、ＬＥＤ照明器具用リモートコントロール装置１００は、異なる波長で発光する複数のＬＥＤを有する照明器具の調光操作を行うためのリモートコントロール装置であって、複数の発光ダイオードの出力を調整して照明器具の調光を行うための出力調整コントロールボタン１３０ａと、出力調整コントロールボタン１３０ａを通して調光することによって得られる照明の色調を使用者が視認するための表示部１２０とを備える。
【００３６】
このようにすることにより、出力調整手段によって調整した色調が表示部１２０に表示されるため、色調を調整した結果を容易に確認することができる。また、発光ダイオードの出力を微妙に変化させて得られる色調の微妙な変化についても確認しやすくなる。
【００３７】
また、このように、ＬＥＤ照明器具用リモートコントロール装置１００においては、表示部１２０は、照明器具の発光ダイオードと同じ波長で発光する表示用発光ダイオードとして表示用赤ＬＥＤ１２１と、表示用緑ＬＥＤ１２２と、表示用青ＬＥＤ１２３を有する。
【００３８】
このように、単なる色見本ではなく、照明器具の発光ダイオードと同じ発光ダイオードを使用して得られる照明色を手元のリモートコントロール装置上で確認することにより、実際に点灯させたい色調を正確に調節することが可能となる。
【００３９】
以上のように、この発明によれば、使用者に光や色の専門的な知識がなくても、照明を好みの色調に自由にかつ容易に調整することが可能であり、また、調整結果を視認することが可能な照明器具用リモートコントロール装置１００を提供することができる。
【００４０】
図３は、この発明の第２の実施の形態として、ＬＥＤ照明器具用リモートコントロール装置の正面を示す図である。
【００４１】
図３に示すように、ＬＥＤ照明器具用リモートコントロール装置２００は、リモートコントロール本体２０１上に、表示手段として表示部２２０と、操作部２３０と、制御データ送信部２４０とを備える。操作部２３０は照明の点灯、消灯などを行うための操作ボタンと、照明の色調を調整するための出力調整手段として出力調整コントロールボタン２３１とを含む。制御データ送信部２４０は、操作部２３０の操作内容にもとづいて照明器具へ制御データを送信する。
【００４２】
ＬＥＤ照明器具用リモートコントロール装置２００においては、表示部２２０はカラー液晶表示パネルで構成されている。表示部２２０は、色調選択用の画像として色調選択用画像２２１を表示することができる。色調選択用画像２２１は、この実施の形態では三角形であり、三角形の三つの頂点は、赤ＬＥＤの出力を１００％として緑ＬＥＤと青ＬＥＤの出力を０％としたときの色調となる単色の赤と、緑ＬＥＤの出力１００％のみの単色の緑と、青ＬＥＤの出力１００％のみの単色の青とによって形成されている。三角形の頂点以外の部分は、各ＬＥＤの出力の割合により変化する色調を表示している。色調選択用画像２２１の三角形の内部は、色調の異なる複数の小さなブロックに分割されており、各ブロックを選択することでそのブロックに表示されている色調を選択することが可能な構成になっている。使用者は、十字キー形状をした出力調整コントロールボタン２３１によって、色調選択用画像２２１上でポインタ２２２を動かし、好みの色調を選択する。
【００４３】
表示部２２０は、カラー表示が可能であって、ポインタ２２２を表示することが可能なものであれば、カラー液晶表示パネルでなくともかまわない。
【００４４】
図４は、表示部に表示される色調選択用画像の形態の例を示す図である。
【００４５】
図４の（Ａ）に示すように、色調選択用画像２２１ａは、ＬＥＤ単色の色調を三角形の三つの頂点に配置されたブロック内に示し、三角形の内部には、各ＬＥＤの出力割合を変えることによって得られる色調を示す複数の小さなブロックが配置されている。ブロック２２３は、照明器具の緑ＬＥＤの出力を１００％とし、赤ＬＥＤと青ＬＥＤの出力をどちらも０％にしたときに得られる色を示し、ブロック２２４は、照明器具の赤ＬＥＤの出力を１００％とし、青ＬＥＤと緑ＬＥＤの出力をどちらも０％にしたときに得られる色を示し、ブロック２２５は、照明器具の青ＬＥＤの出力を１００％とし、緑ＬＥＤと赤ＬＥＤの出力をどちらも０％にしたときに得られる色を示す。
【００４６】
例えば、ブロック２２４の隣のブロック２２４ａが示す色調は、照明器具の各ＬＥＤの出力割合としては、赤ＬＥＤの出力が９８％、緑ＬＥＤの出力が０％、青ＬＥＤの出力が２％のときに得られる照明の色調を表し、その隣のブロック２２４ｂが示す色調は、照明器具の各ＬＥＤの出力割合としては、赤ＬＥＤの出力が９５％、緑ＬＥＤの出力が０％、青ＬＥＤの出力が５％のときの色調を表す。このように、色調選択用画像２２１ａを構成するブロックは、単色の色調から徐々に他の色調割合が増えるような配列とする。
【００４７】
色調選択用画像２２１ａ上には、ポインタ２２２ａが表示される。使用者は、出力調整コントロールボタン２３１を操作することによって、ポインタ２２２ａを色調選択用画像２２１ａ上で動かして、照明の色調を選択することができる。
【００４８】
なお、ブロックの大きさには特に制限はない。ブロックは、照明器具の照明の色調として選択することができる色調をすべて表示することができる大きさであればよい。例えば、何万色もの色調に変更することが可能な照明器具であれば、表示部２２０のドット単位で色調を変化させ、見た目には連続した色のグラデーション画像として表現しても構わない。その場合、ポインタ２２２ａも違った形状になる。
【００４９】
色調選択用画像２２１ａについては、ＬＥＤ照明器具に設けられた波長の異なるＬＥＤの種類の数に応じて、色調選択用画像の頂点の数を変えてもかまわない。また、色調選択用画像２２１ａの形状は、必ずしも正多角形である必要はない。
【００５０】
図４の（Ｂ）には、色調選択用画像２２１ｂが頂点をもたない形状である場合の例を示す。色調選択用画像２２１ｂの内部は小さなブロックに分割されており、照明器具に配置されているＬＥＤを単色で使用したときに得られる照明の色調を示すブロックと、一つの単色から別の単色まで変化する途中の色調を示すブロックとを含む。図４（Ｂ）では、図４（Ａ）と同様に、ブロック２２３は、照明器具の緑ＬＥＤの出力を１００％とし、赤ＬＥＤと青ＬＥＤの出力をどちらも０％にしたときに得られる色を示し、ブロック２２４は、照明器具の赤ＬＥＤの出力を１００％とし、青ＬＥＤと緑ＬＥＤの出力をどちらも０％にしたときに得られる色を示し、ブロック２２５は、照明器具の青ＬＥＤの出力を１００％とし、緑ＬＥＤと赤ＬＥＤの出力をどちらも０％にしたときに得られる色を示す。
【００５１】
図４の（Ｃ）には、画像を小さなブロックではなく、環状の帯の形状とした場合の例を示す。帯２２６は、照明器具の緑ＬＥＤの出力を１００％とし、赤ＬＥＤと青ＬＥＤの出力をどちらも０％にしたときに得られる色を示し、帯２２７は、照明器具の赤ＬＥＤの出力を１００％とし、青ＬＥＤと緑ＬＥＤの出力をどちらも０％にしたときに得られる色を示し、帯２２８は、照明器具の青ＬＥＤの出力を１００％とし、緑ＬＥＤと赤ＬＥＤの出力をどちらも０％にしたときに得られる色を示す。帯２２６と帯２２７との間は、単色の緑から単色の赤へと徐々に変化する色を示し、帯２２７と帯２２８との間は、単色の赤から単色の青へと徐々に変化する色を示し、帯２２８と帯２２６との間は、単色の青から単色の緑へと徐々に変化する色を示す。
【００５２】
このように、ＬＥＤ照明器具用リモートコントロール装置２００においては、表示部２２０は、出力調整コントロールボタン２３１を通して調光することによって得ることができる照明の複数の色調を予め色調選択用画像２２１として表示し、色調選択用画像２２１上に、出力調整コントロールボタン２３１を通して調光された照明の特定の色調をポインタ２２２で示す。
【００５３】
このようにすることにより、使用者は実現可能な色をひと目で理解することができ、好みの色を選択して照明色を調整することがより簡単になる。また、調整した色調が色調選択用画像２２１上の色分布のどのあたりになるかをポインタ２２２の位置によって確認することが可能となるため、異なる色の発光ダイオードの出力を、それぞれどのように変更すればよいかを理解しやすくなる。
【００５４】
図５は、この発明の第３の実施の形態として、ＬＥＤ照明器具用リモートコントロール装置の正面を示す図である。
【００５５】
図５に示すように、ＬＥＤ照明器具用リモートコントロール装置３００においては、本体３０１上に、表示手段として表示部３２０と、操作部３３０と、制御データ送信部３４０とが配置されており、操作部３３０は照明の点灯・消灯などの操作ボタンと共に、表示部３２０上に配置された、照明の色調を調整するためのタッチパネル３３１を含む。タッチパネル３３１は、表示部３２０の色調選択用画像３２１を覆うように配置されている。制御データ送信部３４０は、操作部３３０の操作内容にもとづいて照明器具へ制御データを送信する。
【００５６】
タッチパネル３３１は透明であり、使用者はタッチパネル３３１を通して、表示部３２０に表示されている色調選択用画像３２１を見ることが可能である。
【００５７】
使用者は、表示部３２０に表示されている色調選択用画像３２１上のタッチパネル３３１に触れることにより、照明の色調を選択することが可能となる。この実施の形態においては、色調選択用画像３２１は、連続したグラデーションの色で示される三角形の画像であり、選択箇所を確認するポインタ３２２は小さいプラス記号の形状である。使用者はこのポインタ３２２の位置によって選択した色調を確認することができる。
【００５８】
このように、ＬＥＤ照明器具用リモートコントロール装置３００においては、表示部３２０は画面を有し、操作部３３０は、画面の上に配置されたタッチパネル３３１を含む。
【００５９】
このようにすることにより、使用者は、画面上のタッチパネル３３１に触れることによって好みの色調部分を直接選択することが可能となるため、より簡単に素早く色調を調整することができる。
【００６０】
図６は、この発明の第４の実施の形態として、ＬＥＤ照明器具用リモートコントロール装置の正面を示す図である。
【００６１】
図６に示すように、ＬＥＤ照明器具用リモートコントロール装置４００は、本体４０１上に、タッチパネル４３１を配した表示手段として表示部４２０と、表示部４２０上のタッチパネル４３１を含む操作部４３０と、制御データ送信部４４０を備える。操作部４３０は照明の点灯・消灯などの操作ボタンやタッチパネル４３１と共に、送信手段として色調データ送信ボタン４３２で構成されている。
【００６２】
図１〜図５で示される第１〜第３の実施の形態では、出力調整手段としての出力調整コントロールボタン１３０ａ、出力調整コントロールボタン２３１、タッチパネル３３１によって、制御データ送信部１４０，２４０，３４０を通じて、色調データが照明器具に送信される。しかし、この実施の形態では、タッチパネル４３１で選択して表示部４２０に表示された照明色の制御データは、使用者が色調を選択しただけでは照明器具に送信されず、使用者が色調データ送信ボタン４３２を押下することによって、制御データ送信部４４０から照明器具へ送信される。このようにすることにより、使用者は好みの色を確定するまで、照明の色を変化させることなく何度でも色調の調整をすることができる。色調制御データを送信するまでは、調整途中の好まない照明色で照明されないので、同室の人間が感じる不快感もなくなる。
【００６３】
図６では、ＬＥＤ出力調整用コントロールボタンとしてタッチパネルを使用しているが、前述した押しボタンや十字キーなどのボタンを使用した調整方法であってもかまわない。また、色調選択用画像については、図４の（Ａ）〜（Ｃ）に示したいずれかの画像を使用してもかまわない。また、表示部４２０として、図２に示したような表示用ＬＥＤを実装したものであってもかまわない。
【００６４】
このように、ＬＥＤ照明器具用リモートコントロール装置４００は、タッチパネル４３１によって調整された、発光ダイオードの出力に関する情報を照明装置に送信するための色調データ送信ボタン４３２をさらに備える。
【００６５】
リモートコントロール装置４００上で色調を調整するときには、照明器具に色調変更の信号をタッチパネル４３１によって随時制御データ送信部４４０を通じて送信してもよい。しかし、色調途中のデータを送信し室内の照明を随時変更する必要はない。そこで、例えば、タッチパネル４３１によるリモートコントロール装置４００上での色調調整が終了した時点で初めて、照明器具へ色調データをタッチパネル４３１とは別に設けられた色調データ送信ボタン４３２によって制御データ送信部４４０を通じて送信することにより、室内照明の不要な変化を防ぐことが可能となる。
【００６６】
図７は、この発明の第５の実施の形態として、ＬＥＤ照明器具用リモートコントロール装置の正面を示す図である。
【００６７】
図７に示すように、ＬＥＤ照明器具用リモートコントロール装置５００は、本体５０１上に、タッチパネル５３１を配した表示手段として表示部５２０と、表示部５２０上のタッチパネル５３１を含む操作部５３０と、制御データ送信部５４０と、記憶手段として記憶部（図示しない）を備える。操作部５３０は、照明の点灯・消灯などの操作ボタンやタッチパネル５３１と共に、記憶指示手段として色調記憶ボタン５３２と、色調呼び出しボタン５３３を含む。操作部５３０により使用者の好みの色調に調整した色調データは、色調記憶ボタン５３２を押下することによりリモートコントロール装置内部の制御回路内の記憶部に記憶され、色調呼び出しボタン５３３を押下することにより記憶部から呼び出すことができる。呼び出しボタンを複数個設けることにより、複数の好みの照明色を切り替えて呼び出すことが可能となる。
【００６８】
図８は、この発明の第５の実施の形態にかかるＬＥＤ照明器具用リモートコントロール装置の制御関連の構成を示すブロック図である。
【００６９】
図８に示すように、ＬＥＤ照明器具用リモートコントロール装置５００は、制御部５１０と、表示部５２０と、操作部５３０と、制御データ送信部５４０と、記憶部５５０とを備える。制御部５１０は、操作部５３０での操作内容に基づき、制御データ送信部５４０より照明器具装置へ制御データを送信し、操作内容を表示部５２０に表示する。色調記憶ボタン５３２が押下された際には、制御部５１０は、調整された色調データを記憶部５５０へ格納し、次に色調呼出ボタン５３３が押下されたときには、記憶している色調データを制御データに変換し、制御データ送信部５４０より照明器具へ送信する。
【００７０】
記憶部５５０として、データの記憶に関する媒体は、マイクロコンピュータに内蔵されたフラッシュメモリであってもよいし、外付けのＥＥＰＲＯＭや不揮発性メモリであってもかまわない。
【００７１】
このように、ＬＥＤ照明器具用リモートコントロール装置５００は、タッチパネル５３１によって調光された照明の色調を記憶するための記憶部５５０と、タッチパネル５３１によって調光された照明の色調を記憶部５５０に記憶させるための色調記憶ボタン５３２とを備える。
【００７２】
このようにすることにより、例えば、複数の使用者が色調記憶ボタン５３２と記憶部５５０を用いて、タッチパネル５３１によって調整されたそれぞれの好みの色調を記憶させておくことができる。また、例えば、照明する時刻によって異なる色調の照明にするために、複数の色調を記憶させておくことができる。このように、一旦調整して記憶させた色調と同じ色調を改めて調整することなく、複数の色調を容易に切り替えることが可能となる。
【００７３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００７４】
【図１】この発明の第１の実施の形態として、ＬＥＤ照明器具用リモートコントロール装置の正面を示す図である。
【図２】表示部を覆う表示部カバーを外したときのＬＥＤ照明器具用リモートコントロール装置の正面を示す図である。
【図３】この発明の第２の実施の形態として、ＬＥＤ照明器具用リモートコントロール装置の正面を示す図である。
【図４】表示部に表示される色調選択用画像の形態の例を示す図である。
【図５】この発明の第３の実施の形態として、ＬＥＤ照明器具用リモートコントロール装置の正面を示す図である。
【図６】この発明の第４の実施の形態として、ＬＥＤ照明器具用リモートコントロール装置の正面を示す図である。
【図７】この発明の第５の実施の形態として、ＬＥＤ照明器具用リモートコントロール装置の正面を示す図である。
【図８】この発明の第５の実施の形態にかかるＬＥＤ照明器具用リモートコントロール装置の制御関連の構成を示すブロック図である。
【符号の説明】
【００７５】
１００，２００，３００，４００，５００：ＬＥＤ照明器具用リモートコントロール装置、１２０，２２０，３２０，４２０，５２０：表示部、１２１：表示用赤ＬＥＤ、１２２：表示用緑ＬＥＤ、１２３：表示用青ＬＥＤ、１４０，２４０，３４０，４４０，５４０：制御データ送信部、２２１，３２１，４２１，５２１：色調選択用画像、２２２，３２２，４２２，５２２：ポインタ、１３０ａ，２３１：出力調整コントロールボタン、３３１，４３１，５３１：タッチパネル、４３２：色調データ送信ボタン、５３２：色調記憶ボタン、５３３：色調呼出ボタン、５５０：記憶部。
【図１】
2008108598.tif 000003
【図２】
2008108598.tif 000004
【図３】
2008108598.tif 000005
【図４】
2008108598.tif 000006
【図５】
2008108598.tif 000007
【図６】
2008108598.tif 000008
【図７】
2008108598.tif 000009
【図８】
2008108598.tif 000010